(57)【要約】【課題】太陽光発電パネル表面を満遍なく濡らし、冷却効率の良好な太陽光発電パネル冷却システムを提供する。【解決手段】太陽光発電パネル冷却システム１は、複数枚の太陽光発電パネル４０が設置された太陽光発電パネル群に水を噴霧する複数のミスト発生装置３０と、配管１１を介してミスト発生装置３０に水を供給する水供給装置１０と、配管１１を開放及び閉鎖し、ミスト発生装置３０への水の供給を制御する水供給制御装置２０とを備える。【選択図】図１
2012256823.tif 000002
【特許請求の範囲】
【請求項１】
複数枚の太陽光発電パネルが設置された太陽光発電パネル群に水を噴霧する複数のミスト発生装置と、
配管を介して前記ミスト発生装置に水を供給する水供給装置と、
前記配管を開放及び閉鎖し、前記ミスト発生装置への水の供給を制御する水供給制御装置と、を備え、
前記水供給制御装置は、前記太陽光発電パネルの温度が所定温度まで上昇すると前記配管を開放するよう作動して水を前記ミスト発生装置に供給し、前記太陽光発電パネルの温度が所定温度まで降下すると前記配管を閉鎖するよう作動して前記ミスト発生装置への水の供給を停止し、
前記ミスト発生装置の少なくとも一部が前記太陽光発電パネル群の外側から内側へ向けて水を噴霧するよう配置され、前記太陽光発電パネルの表面に水を噴霧して前記太陽光発電パネルを冷却する、
ことを特徴とする太陽光発電パネル冷却システム。
【請求項２】
前記ミスト発生装置の一部が前記太陽光発電パネル群の内側から外側へ向けて水を噴霧するよう配置されている、
ことを特徴とする請求項１に記載の太陽光発電パネル冷却システム。
【請求項３】
前記ミスト発生装置は、前記太陽光発電パネルの表面に対して０°〜２０°の噴出角度で設置される、
ことを特徴とする請求項１又は２に記載の太陽光発電パネル冷却システム。
【請求項４】
前記水供給制御装置は、感熱部が所定温度まで上昇すると駆動部が稼働して前記配管を閉鎖する感熱弁である、
ことを特徴とする請求項１乃至３のいずれか一項に記載の太陽光発電パネル冷却システム。
【請求項５】
前記太陽光発電パネルと前記感熱弁の感熱部とが伝熱部材で接続されている、
ことを特徴とする請求項４に記載の太陽光発電パネル冷却システム。
【発明の詳細な説明】
【技術分野】
【０００１】
この発明は、太陽光発電パネル冷却システムに関する。
【背景技術】
【０００２】
太陽光発電パネルは夏季高温時など、高温状態になると発電効率が低下する。このため、太陽光発電パネルを散水により蒸発冷却すると、発電効率の低下を防ぎ得る可能性について報じられている（非特許文献１）。
【０００３】
また、太陽光発電パネルの冷却ではないが、屋根等の冷却システムとして、特許文献１、２に記載のシステムが開示されている。
【０００４】
特許文献１では、給水管を介して揚水ポンプに連結された中継受水槽を屋根上に設置し、屋根の上棟部に沿ってノズル孔をあけた管を設置し、屋根面に向けて散水するシステムが開示されている。
【０００５】
また、特許文献２では、屋根の棟に設置された散水器具で霧状噴水型に散水し、屋根瓦及びその輻射熱を冷却するシステムが開示されている。
【先行技術文献】
【非特許文献】
【０００６】
【非特許文献１】太陽電池パネルへの散水による蒸発冷却効果の理論的研究；吉永  美香；空気調和・衛生工学会論文集  Ｎｏ．８１，ｐ３１−ｐ３８；２００１年４月
【特許文献】
【０００７】
【特許文献１】特開２００９−１０８５２３号公報
【特許文献２】特開２００４−７６５４１号公報
【発明の概要】
【発明が解決しようとする課題】
【０００８】
非特許文献１では、散水による太陽光発電パネルの蒸発冷却についてシミュレーションがなされているだけであり、散水の具体的な手法については何ら開示されていない。
【０００９】
特許文献１では、散水管から水をゆっくり流している。特許文献１の発明をそのまま太陽光発電パネルに応用した場合、太陽光発電パネル上を筋状に水が流れることになる。したがって、筋状に流れる水脈と水脈との間の冷却が十分になされないので、効果的な太陽光発電パネルの冷却を期待できない。
【００１０】
また、流した水は太陽光発電パネル表面を流れ落ち、水が全て太陽光発電パネル表面上で気化しないため、大量の冷却水を消費することになる。更には、受水槽へと水をくみ上げる揚水ポンプの駆動時間が長くなるので、揚水ポンプを駆動するための電力も消費してしまう。この水及び電力の消費量を鑑みると、太陽光発電パネルの冷却による発電効率の向上以上に冷却に要するコストが高くなってしまうおそれもある。
【００１１】
特許文献２では、水を上向きに噴霧している。太陽光発電パネルは屋外に設置され、常に風にさらされた状態である。霧状の水は軽いので風の影響を受けて飛ばされてしまい、太陽光発電パネルに付着し難い。このため、太陽光発電パネルの効率的な冷却は困難である。
【００１２】
本発明は上記事項に鑑みてなされたものであり、太陽光発電パネル表面を満遍なく濡らし、冷却効率の良好な太陽光発電パネル冷却システムを提供することにある。
【課題を解決するための手段】
【００１３】
本発明に係る太陽光発電パネル冷却システムは、
複数枚の太陽光発電パネルが設置された太陽光発電パネル群に水を噴霧する複数のミスト発生装置と、
配管を介して前記ミスト発生装置に水を供給する水供給装置と、
前記配管を開放及び閉鎖し、前記ミスト発生装置への水の供給を制御する水供給制御装置と、を備え、
前記水供給制御装置は、前記太陽光発電パネルの温度が所定温度まで上昇すると前記配管を開放するよう作動して水を前記ミスト発生装置に供給し、前記太陽光発電パネルの温度が所定温度まで降下すると前記配管を閉鎖するよう作動して前記ミスト発生装置への水の供給を停止し、
前記ミスト発生装置の少なくとも一部が前記太陽光発電パネル群の外側から内側へ向けて水を噴霧するよう配置され、前記太陽光発電パネルの表面に水を噴霧して前記太陽光発電パネルを冷却する、
ことを特徴とする。
【００１４】
また、前記ミスト発生装置の一部が前記太陽光発電パネル群の内側から外側へ向けて水を噴霧するよう配置されていることが好ましい。
【００１５】
また、前記ミスト発生装置は、前記太陽光発電パネルの表面に対して０°〜２０°の噴出角度で設置されることが好ましい。
【００１６】
また、前記水供給制御装置は、感熱部が所定温度まで上昇すると駆動部が稼働して前記配管を閉鎖する感熱弁であることが好ましい。
【００１７】
また、前記太陽光発電パネルと前記感熱弁の感熱部とが伝熱部材で接続されていることが好ましい。
【発明の効果】
【００１８】
本発明に係る太陽光発電パネル冷却システムでは、少なくとも一部のミスト発生装置が太陽光発電パネル群の外側から内側に向けて水を噴霧する。霧状の水は風により飛ばされやすいが、太陽光発電パネル群の外側から内側に向けて噴霧しているので、噴霧された微細な水滴が太陽光発電パネル表面を撫でるように広がり付着してゆく。これにより、太陽光発電パネルを満遍なく濡らすことができ、太陽光発電パネルを効率的に冷却することができる。
【００１９】
また、水供給制御装置により、太陽光発電パネルが所定温度まで上昇すると、水が噴霧され太陽光発電パネルの冷却を行い、所定温度まで低下すると水の噴霧が停止する。冷却が必要なときに必要なだけ水が噴霧されるととともに、上述のように噴霧した水が太陽光発電パネルに付着しやすいことから、水の消費量を抑えられる。このため、冷却に要するコストの低減にもつながる。
【図面の簡単な説明】
【００２０】
【図１】太陽光発電パネル冷却システムの概略構成図である。
【図２】図１のＡ−Ａ’断面図である。
【図３】噴霧ノズルの断面図である。
【図４】図４（Ａ）は配管が閉鎖されている様子を示す断面図、図４（Ｂ）は配管が開放されている様子を示す断面図である。
【図５】図５（Ａ）は図４（Ａ）のＢ−Ｂ’方向を見た配管が閉鎖されている様子を示す断面図、図５（Ｂ）は図４（Ｂ）のＣ−Ｃ’方向を見た配管が開放されている様子を示す断面図である。
【図６】噴霧ノズルの噴出角度を説明する図である。
【図７】他の形態に係る太陽光発電パネル冷却システムの概略構成図である。
【図８】実施例における時間と太陽光発電パネルの温度及び発電電力との関係を示すグラフである。
【発明を実施するための形態】
【００２１】
図を参照しつつ、実施の形態に係る太陽光発電パネル冷却システムについて説明する。図１に示すように、太陽光発電パネル冷却システム１は、太陽光発電パネル４０に水を噴霧するミスト発生装置（噴霧ノズル）３０、噴霧ノズル３０に配管１１を介して水を供給する水供給装置１０、配管１１を開放・閉鎖して噴霧ノズル３０への水の供給を制御する水供給制御装置（感熱弁）２０を備える。
【００２２】
太陽光発電パネル４０は、家屋、工場等の建築物の屋根や空き地、道路の糊面等、太陽光が照射される箇所に配置されている。通常、複数枚の太陽光発電パネル４０が配置され、それぞれの太陽光発電パネル４０が直列接続され、出力電圧が合わせられている。本明細書において、複数の太陽光発電パネル４０が設置された集合体を太陽光発電パネル群と記す。
【００２３】
噴霧ノズル３０は、太陽光発電パネル４０の外周に沿って複数個配置されている。太陽光発電パネル４０は、一般的に矩形の平板状であり、複数枚の太陽光発電パネル４０が平面状に並べて配置された太陽光発電パネル群もまた矩形である。このため、噴霧ノズル３０は太陽光発電パネル群の辺に沿って配置される。図１では、図面上、太陽光発電パネル群の上辺に沿って６個、下辺に沿って６個配置されている。そして、図２に示すように、太陽光発電パネル群の上辺に沿って配置された噴霧ノズル３０は、太陽光発電パネル４０の表面に略平行に水を噴出するよう設置されている。また、太陽光発電パネル４０の下辺に沿って配置された噴霧ノズル３０は、太陽光発電パネル４０の表面に略平行に水を噴霧するよう設置されている。なお、太陽光発電パネル群の全ての辺に沿って噴霧ノズル３０が配置されていてもよい。
【００２４】
噴霧ノズル３０は、図３に示すように、微小な噴出口を備えるノズルである。例えば、口径がおよそ０．５ｍｍの噴霧ノズル３０からミストとして噴霧する水の量は、水道圧が０．４ＭＰａのときには１分間当たりおよそ０．１リットル程度である。
【００２５】
水供給装置１０は、配管１１を介して噴霧ノズル３０に水を供給可能なものであれば特に制限はない。例えば、水道の蛇口でもよい。また、貯水槽等に貯留された水を揚水ポンプ等により配管１１を介して噴霧ノズル３０に供給する形態であってもよい。また、窒素等が封入されたアキュムレータや耐圧エアタンク等の蓄圧容器であってもよい。水道等に繋いで蓄圧容器に水と圧力を蓄えておき、蓄圧容器内の圧力を利用して蓄えている水を、配管１１を介して噴霧ノズル３０に供給することができる。
【００２６】
水供給制御装置２０は、水供給装置１０と噴霧ノズル３０を接続する配管１１の任意の箇所に設置され、配管１１内の水の流通及び遮断を行い、水供給装置１０から噴霧ノズル３０への水の供給を制御する。
【００２７】
水供給制御装置２０として、本実施の形態では感熱弁２０が用いられている。感熱弁２０は、所謂ワックスサーモエレメントと開閉自在な弁機構とが組み合わされた形態であり、その一例を、図４（Ａ）、（Ｂ）及び図５（Ａ）、（Ｂ）の各断面図に示している。なお、図４（Ａ）及び図５（Ａ）は、噴霧ノズル３０への水の供給を停止している状態、図４（Ｂ）及び図５（Ｂ）は、噴霧ノズル３０への水の供給を行っている場合を示している。
【００２８】
感熱弁２０は、弁本体２０ａ、開閉部材２０ｂ、スプリング２０ｃ、ケース２０ｄ、ワックス２０ｅ、ダイアフラム２０ｆ、流動体２０ｇ、シール２０ｈ、ガイド筒部材２０ｉ、ピストン２０ｊとから構成されている。なお、ここでは、ケース２０ｄが感熱部として機能し、伝熱部材２１を介して太陽光発電パネル４０からケース２０ｄに熱が伝達され、伝達された熱で内包されているワックス２０ｅが溶解或いは凝固する。
【００２９】
弁本体２０ａには、貫通する流路が形成されており、流路の両端に配管１１が接続されている。そして、流路の一部を開放・閉鎖可能な開閉部材２０ｂが設置されている。開閉部材２０ｂはスプリング２０ｃ及びピストン２０ｊの作用により往復動可能に設置されている。
【００３０】
図４（Ａ）及び図５（Ａ）では、ケース２０ｄに伝達される熱が低い温度であり、ワックス２０ｅが固体状態の場合である。この場合、ピストン２０ｊはガイド筒部材２０ｉから押し出されておらず、開閉部材２０ｂはスプリング２０ｃの伸長力でピストン２０ｊ側に押されている。この状態では、開閉部材２０ｂに形成されている孔が弁本体２０ａの流路と重ならず、開閉部材２０ｂが塞いでいるため、水は噴霧ノズル３０に流れない。
【００３１】
一方、ワックス２０ｅに伝達される熱が高い温度である場合では、ワックス２０ｅが溶解して熱膨張、即ち、図４（Ｂ）及び図５（Ｂ）に示すように、ワックス２０ｅの体積が大きくなる。このワックス２０ｅの熱膨張により、ダイアフラム２０ｆ、流動体２０ｇ、シール２０ｈを介してピストン２０ｊがガイド筒部材２０ｉから押し出される。ピストン２０ｊの突出により、開閉部材２０ｂがスプリング２０ｃの力に抗って下方へ押される。開閉部材２０ｂが押されると、開閉部材２０ｂに形成されている孔と弁本体２０ａに形成されている流路とが重なる。このため、開閉部材２０ｂで堰き止められていた水が図４（Ｂ）に示すように、噴霧ノズル３０へ（紙面上、左から右へ）と流れる。
【００３２】
また、感熱弁２０の感熱部、即ちケース２０ｄと太陽光発電パネル４０とは伝熱部材２１で接続されており、太陽光発電パネル４０の熱が感熱弁２０に伝達され、感熱弁２０が作動するよう構成されている。伝熱部材２１は、太陽光発電パネル４０の熱が感熱弁２０に伝わりやすい素材から構成され、例えば、熱伝導率の高い銅等の金属から構成される。
【００３３】
以上の構成により、太陽光発電パネル４０が所定温度まで上昇した場合には、感熱弁２０が配管１１を開放するよう作動して、水を噴霧ノズル３０に供給する。一方、太陽光発電パネル４０が所定温度まで降下した場合では、感熱弁２０が配管１１を閉鎖するよう作動し、噴霧ノズル３０への水の供給を停止する。これにより、太陽光発電パネル４０が所定温度まで上昇した場合にのみ、水が噴霧されるので、水の消費量を低減することができる。
【００３４】
上述のように、感熱弁２０が開放して噴霧ノズル３０に水が供給されると、それぞれの噴霧ノズル３０から水が噴霧され、霧状の水滴が太陽光発電パネル４０の表面に付着し、気化熱により太陽光発電パネル４０を冷却する。
【００３５】
複数の噴霧ノズル３０は、太陽光発電パネル群の外周に沿って設置され、図６に示すように、太陽光発電パネル４０の外側から内側へ向けて水を噴霧するよう設置されている。このため、噴霧された微細な水滴は風の影響を受けにくく、即ち、上空へと舞い上がりにくく、太陽光発電パネル４０の表面を撫でるように広がって太陽光発電パネル４０の表面に付着する。微細な水滴が風によって舞い上がって太陽光発電パネル４０に付着し難いという事態が避けられ、それぞれの太陽光発電パネル４０全体を隈無く濡らすことができる。
【００３６】
太陽光発電パネル４０は通常複数枚が直列接続され、電圧を合わせているため、一部の太陽光発電パネル４０が冷却されない場合、その出力が低い太陽光発電パネル４０の影響を大きく受ける。この場合、太陽光発電パネル群で見ると正常に機能していない、即ち、出力が増大しないことになる。本実施の形態では、上述したように、噴霧された水滴はそれぞれの太陽光発電パネル４０の全体に満遍なく行き渡りやすい。このため、太陽光発電パネル群は満遍なく冷却され、出力の増加につながる。
【００３７】
以上のように、水を噴霧し、噴霧した微細な水滴が無駄なく太陽光発電パネル４０表面に付着すること、そして、太陽光発電パネル４０が所定温度まで上昇した場合にのみ水の噴霧が行われることから、冷却に要する水の消費量を最低限に抑えることができ、冷却コストの低減を実現している。
【００３８】
本実施の形態では、水供給制御装置２０として感熱弁２０を用いており、感熱弁２０は電力を消費することなく噴霧ノズル３０への水の供給を制御できる。したがって、冷却によって増加した発電電力が消費されてしまうこともない。
【００３９】
噴霧ノズル３０は、図６に示すように、太陽光発電パネル４０の表面に対して、噴出角度（θ）が０°〜２０°になるように設置されているとよい。また、噴霧ノズル３０は太陽光発電パネル４０表面との高低差（ｈ）が小さくなるよう（例えば１０ｃｍ以下）設置されているとよい。太陽光発電パネル４０近傍から水を噴霧できるので、風によって噴霧した水滴が太陽光発電パネル４０表面と異なる場所へ飛ばされにくくなる。
【００４０】
また、太陽光発電パネル４０の外周に沿って配置される配管１１は、平面視で太陽光発電パネル４０から離間して配置されていることが好ましい。配管１１が太陽光発電パネル４０に影を落とすことによる発電量低下を抑えられる。
【００４１】
なお、感熱弁２０において、用いるワックス２０ｅの特性により、溶解温度や膨張率が異なる。太陽光発電パネル４０がどの温度まで上昇した場合に水を噴霧させたいかに応じて、適切なワックス２０ｅを内包する感熱弁２０を適宜設定すればよい。たとえば、４５℃で溶解、熱膨張するワックス２０ｅを用いれば、太陽光発電パネル４０の温度が４５℃まで上昇すると噴霧ノズル３０に水が供給されて、太陽光発電パネル４０に水が噴霧されることになる。そして、噴霧により太陽光発電パネル４０が冷却されて３７℃まで徐々に温度低下するにつれてワックス２０ｅが固化してゆき、噴霧ノズル３０への水の供給が停止されて水の噴霧が停止する。
【００４２】
また、感熱弁２０の感熱部（ケース２０ｄ）と太陽光発電パネル４０とが伝熱部材２１で接続された例について説明したが、感熱弁２０の感熱部が噴霧ノズル３０から噴霧された水滴が付着可能な場所に配置されている場合等では、伝熱部材２１が設置されていなくてもよい。
【００４３】
また、上記では、水供給制御装置として感熱弁２０を例に説明したが、太陽光発電パネル４０の温度を検出し、噴霧ノズル３０への水の供給を制御可能であれば、特に制限されることはない。例えば、温度検出装置と電磁弁と制御装置とを組み合わせた形態であってもよい。この場合、配管１１に電磁弁が設置されるとともに、温度検出装置が太陽光発電パネル４０の表面温度を検出可能に設置される。そして、制御装置は電磁弁及び温度検出装置と電気的に接続される。上記の構成により、温度検出装置が太陽光発電パネル４０の温度を検出し、検出した温度が所定温度（例えば４５℃）以上である場合、制御装置は電磁弁を開放させて噴霧ノズル３０へ水を供給する。一方、検出した温度が所定温度（例えば３７℃）以下である場合、電磁弁を閉鎖させて噴霧ノズル３０への水の供給を停止させる。また、検出した温度が所定温度以上である場合、制御装置はタイマー等の時間制御を行い、一定期間（例えば、２分間）電磁弁を開放させて噴霧ノズル３０へと水を供給する形態であってもよい。
【００４４】
また、噴霧ノズル３０が太陽光発電パネル４０の外周に沿って配置された例について説明したが、太陽光発電パネル４０が多数枚設置され、太陽光発電パネル４０の集合が広大な面積である場合などでは、図７に示すように、太陽光発電パネル４０と太陽光発電パネル４０との間などに噴霧ノズル３０が更に設置されていてもよい。太陽光発電パネル４０の内側から水を噴霧することで、外周に設置された噴霧ノズル３０からでは届きにくい太陽光発電パネル４０にも水が噴霧され、霧状の水滴が付着し冷却される。なお、この場合も噴霧した水が風で流されないよう、噴霧ノズル３０の噴出角度は太陽光発電パネル４０の表面に対して０°〜２０°であることが好ましい。
【実施例】
【００４５】
太陽光発電パネルに水を噴霧して冷却し、発電電力を検証した。実験条件を以下に記す。
実験日：平成２３年９月８日（木曜日）
実験時間：午前１１時５分〜午前１１時４１分
実験場所：広島県広島市西区上天満町  中電工株式会社内のソーラーガレージ
気温：２８℃
湿度：３８％
風速：２〜３ｍ／ｓ
太陽光発電パネル：シャープ株式会社製、計１６枚（タテ４列×ヨコ４列に配置）
【００４６】
また、図７に示したように、計２５個の噴霧ノズルをそれぞれの太陽光発電パネルの４隅に配置し、太陽光発電パネルの表面に対し、ほぼ平行に水を噴霧するよう設置した。噴霧ノズルは、空円錐ノズル（株式会社いけうち製、KBNシリーズ、噴角の区分：８０°、噴量の区分：２２、平均粒径３５〜６０μｍ、異物通過径（口径０．５ｍｍ））を改良し、水道圧０．４MPａで噴霧可能にしたものを用いた。
【００４７】
午前１１時５分よりパネル温度及びその際の発電電力を計測した。そして、１１時７分に水を噴霧した。噴霧は１１時１７分まで連続して行った。なお、本実施例では、噴霧ノズルへの水の供給及び停止は手動により行った。
【００４８】
パネル温度、その際の発電電力、及び、１１時５分時の発電電力からの増加電力を表１に示す。また、図８にパネル温度及び増加電力と時間との関係を示す。
【００４９】
【表１】
2012256823.tif 000003
【００５０】
噴霧開始直後からパネル温度が低下していくとともに、発電電力が増加していくことがわかる。また、噴霧停止して５分程度は、気化熱による冷却でパネル温度の上昇が抑えられ、発電効率の低下を抑制できることがわかる。
【符号の説明】
【００５１】
１    太陽光発電パネル冷却システム
１０    水供給装置
１１    配管
２０    水供給制御装置（感熱弁）
２０ａ  弁本体
２０ｂ  開閉部材
２０ｃ  スプリング
２０ｄ  ケース
２０ｅ  ワックス
２０ｆ  ダイアフラム
２０ｇ  流動体
２０ｈ  シール
２０ｉ  ガイド筒部材
２０ｊ  ピストン（駆動部）
２１    伝熱部材
３０    ミスト発生装置（噴霧ノズル）
４０    太陽光発電パネル
５０    屋根
【図１】
2012256823.tif 000004
【図２】
2012256823.tif 000005
【図４】
2012256823.tif 000006
【図５】
2012256823.tif 000007
【図６】
2012256823.tif 000008
【図７】
2012256823.tif 000009
【図８】
2012256823.tif 000010
【図３】
2012256823.tif 000011